(57)【要約】【課題】リサイクル式貨幣収納繰出部に収納されている貨幣の貨幣量を、複数の区分の貨幣量を用いて管理することにより、１台で複数の区分の貨幣を管理することができ、より利便性の高いものとすることができる貨幣処理機を提供する。【解決手段】貨幣処理機１０は、搬送部２５、３５から搬送されてきた貨幣を収納するとともに、この収納した貨幣を搬送部２５、３５に繰り出すリサイクル式貨幣収納繰出部２７、３４と、搬送部２５、３５およびリサイクル式貨幣収納繰出部２７、３４の制御を行う制御部１５とを備えている。制御部１５は、リサイクル式貨幣収納繰出部２７、３４に収納されている貨幣の貨幣量を、複数の区分の貨幣量を用いて管理する。【選択図】図６
2010262568.tif 000002
【特許請求の範囲】
【請求項１】
貨幣処理機であって、
筐体と、
前記筐体の外部から内部に貨幣を投入するための投入口と、
前記投入口に接続され、貨幣の搬送を行う搬送部と、
前記搬送部に接続され、搬送されてきた貨幣を収納する貨幣収納部と、
前記搬送部に接続され、搬送されてきた貨幣を収納するとともに、この収納した貨幣を前記搬送部に繰り出すリサイクル式貨幣収納繰出部と、
前記搬送部および前記リサイクル式貨幣収納繰出部の制御を行う制御部であって、前記リサイクル式貨幣収納繰出部に収納されている貨幣の貨幣量を、複数の区分の貨幣量を用いて管理する制御部と、
を備えたことを特徴とする貨幣処理機。
【請求項２】
前記制御部は、前記リサイクル式貨幣収納繰出部の貨幣量を、第１の区分の貨幣量および第２の区分の貨幣量の少なくとも２つの区分の貨幣量を用いて管理し、前記リサイクル式貨幣収納繰出部の貨幣量が変化する際に、前記第１の区分の貨幣量について変化量を前記制御部へ入力でき、この変化量を、前記第１の区分の貨幣量に対して加算または減算することを特徴とする請求項１記載の貨幣処理機。
【請求項３】
前記制御部は、前記貨幣量について、合計金額、あるいは貨幣の金種毎の数量または金額を管理することを特徴とする請求項１記載の貨幣処理機。
【請求項４】
前記複数の区分の貨幣量のうち前記第２の区分の貨幣量は、前記リサイクル式貨幣収納繰出部に収納されている貨幣の総量であることを特徴とする請求項１記載の貨幣処理機。
【請求項５】
前記複数の区分の貨幣量を合計すると、前記リサイクル式貨幣収納繰出部に収納されている貨幣の総量となることを特徴とする請求項１記載の貨幣処理機。
【請求項６】
前記複数の区分の貨幣量のうち前記第２の区分の貨幣量は、前記リサイクル式貨幣収納繰出部に収納されている貨幣の総量であり、
前記筐体の外部から内部に投入された貨幣をリサイクル式貨幣収納繰出部に収納するような納金処理を行う際に、前記第１の区分の貨幣量の変化量である入金量が前記制御部に入力され、前記制御部は、前記入金量を前記第１の区分の貨幣量に加算し、前記納金処理において前記リサイクル式貨幣収納繰出部に収納された貨幣量を前記第２の区分の貨幣量に加算することを特徴とする請求項２記載の貨幣処理機。
【請求項７】
前記複数の区分の貨幣量を合計すると、前記リサイクル式貨幣収納繰出部に収納されている貨幣の総量となり、
前記筐体の外部から内部に投入された貨幣をリサイクル式貨幣収納繰出部に収納するような納金処理を行う際に、前記第１の区分の貨幣量の変化量である入金量が前記制御部に入力され、前記制御部は、前記入金量を前記第１の区分の貨幣量に加算し、前記納金処理において前記リサイクル式貨幣収納繰出部に収納された貨幣量から前記入金量を減算した貨幣量を、他の区分の貨幣量に加算することを特徴とする請求項２記載の貨幣処理機。
【請求項８】
前記納金処理を行う際に、識別情報が前記制御部に入力され、前記制御部は、当該制御部に入力された前記識別情報に対応する貨幣量を前記入金量とすることを特徴とする請求項６または７記載の貨幣処理機。
【請求項９】
前記リサイクル式貨幣収納繰出部から前記貨幣収納部に貨幣を送る引渡処理を行う際に、前記制御部は、前記リサイクル式貨幣収納繰出部に収納されている貨幣の貨幣量から、いずれかの区分の貨幣量を減算して求めた貨幣量に相当する貨幣を前記貨幣収納部に送ることを特徴とする請求項２記載の貨幣処理機。
【請求項１０】
前記リサイクル式貨幣収納繰出部に収納されている貨幣を前記筐体の外部に投出するような出金処理を行う際に、出金する貨幣量である出金量が前記制御部に入力され、前記制御部は、前記リサイクル式貨幣収納繰出部に収納されている貨幣から、前記出金量に相当する貨幣を前記筐体の外部に投出させるとともに、前記出金量を前記第１の区分の貨幣量から減算することを特徴とする請求項２記載の貨幣処理機。
【請求項１１】
前記出金処理を行う際に、前記制御部は、前記第１の区分の貨幣量が前記出金量よりも小さい場合には、不足する貨幣量を負の値として前記第１の区分の貨幣量の管理を行うことを特徴とする請求項１０記載の貨幣処理機。
【請求項１２】
前記第１の区分の貨幣量は、店舗側に管理権限のある貨幣である店舗金に区分される貨幣量であって、
前記制御部に指令を与えるための操作部であって、納金キーおよび店舗金出金キーのうちいずれか１つのキーを選択するような操作部を更に備え、
前記制御部は、
前記納金キーが選択されたときに、前記筐体の外部から内部に貨幣を投入してこの投入された貨幣をリサイクル式貨幣収納繰出部に送るような納金処理を行い、この際に、前記リサイクル式貨幣収納繰出部に送られた貨幣について、店舗金の区分と売上金の区分とに分けて管理し、
前記店舗金出金キーが選択されたときに、前記リサイクル式貨幣収納繰出部に収納された貨幣を前記筐体の外部に投出する店舗金出金処理を行い、この際に、店舗金の区分の貨幣量から前記筐体の外部に投出された貨幣の貨幣量だけ減少させることを特徴とする請求項２記載の貨幣処理機。
【発明の詳細な説明】
【技術分野】
【０００１】
本発明は、店舗等において売上金等の貨幣の入金処理、釣銭等の貨幣の出金処理、および回収業務を行う収集業者へ売上金等の貨幣を引き渡す引渡処理等を行う貨幣処理機に関する。なお、本明細書における「貨幣」は紙幣であっても硬貨であってもよい。
【背景技術】
【０００２】
従来より、店舗等において売上金等の貨幣の入金処理、釣銭等の貨幣の出金処理、および回収業務を行う収集業者へ売上金等の貨幣を引き渡す引渡処理等を行う貨幣処理機が知られている。このような貨幣処理機は、貨幣の収納を行う貨幣収納部と、筐体の外部から内部に取り込まれた貨幣を一時的に収納するとともに、この収納された貨幣または筐体の外部から内部に取り込まれた貨幣を貨幣収納部に送ったり筐体の外部に返却したりする貨幣リサイクル処理部と、を備えている。貨幣リサイクル処理部に収納された貨幣（上部の貨幣）と、貨幣収納部に収納された貨幣（下部の貨幣）の管理権限は区別されており、前者の管理権限は貨幣処理機に対して入金処理や出金処理を行う店舗側にあり、後者の管理権限は貨幣処理機から紙幣の回収を行う収集特定者側にある。よって、貨幣処理機の上部の貨幣に対する入金処理、出金処理、引渡処理等の操作や、上部の貨幣の入出金情報や在高データへのアクセスは店舗側の権限のある操作者のみが行うことができ、一方、貨幣処理機の下部の貨幣の回収は収集業者の収集特定者のみが行うことができる。このような貨幣処理機としては、例えば特許文献１や特許文献２等に開示されるものが知られている。
【０００３】
特許文献１には、貨幣入出金処理システムにおいて、入出金機が、現金を収納し入出金が可能なリサイクル収納部と、現金を収納するカセット収納部とを備えていることが開示されている。より詳細に説明すると、リサイクル収納部は店舗が管理し、カセット収納部は売上金の回収業務を委託された収集業者が管理するようになっている。入出金機に投入された現金はリサイクル収納部に収納されるようになっている。そして、リサイクル収納部からカセット収納部に現金を送ることにより、店舗側から収集業者側に現金が引き渡される。ここで、リサイクル収納部に収納された現金は釣銭準備金として管理され、一方、カセット収納部に収納された現金は売上金として管理されるようになっている。
【０００４】
また、特許文献２には、自動券売機の現金処理システムにおいて、釣銭準備金を含む現金から売上金を取り出す際に、自動券売機の内部メモリーにカウントされている販売実績データの金額分だけの現金を現金収納部から収集部に搬送し、現金収納部に釣銭準備金を残すようにすることが開示されている。
【先行技術文献】
【特許文献】
【０００５】
【特許文献１】特開２００２−３１２８３３号公報
【特許文献２】特開２００２−７４４６７号公報
【発明の概要】
【発明が解決しようとする課題】
【０００６】
業務の終了後の店舗では、レジから回収した現金を計数し、この計数された現金の金額から、店舗の貨幣である釣銭準備金（店舗金）の額を減算して売上金を確定している。ここで、売上金に係る貨幣は、売上金の回収業務を委託された収集業者の収集特定者に引き渡されるようになっている。
【０００７】
特許文献１に示すように、従来の貨幣処理機は、店舗側に管理権限があり入金された現金を出金にも用いるリサイクル処理部と、収集業者側に管理権限があり現金の収納を行うカセット収納部とを備えている。しかし、従来の貨幣処理機では、リサイクル処理部にある貨幣を一括して１つの在高で管理している。このため、釣銭準備金を残して売上金をリサイクル処理部からカセット収納部に引き渡すためには、リサイクル処理部にある貨幣の在高から釣銭準備金の額を減算した額の貨幣を引き渡していた。また、リサイクル処理部には各レジの売上金と各レジに渡した釣銭準備金が入金されるが、リサイクル処理部では貨幣を一括して１つの在高で管理しているため、全てのレジの貨幣の回収が終わるまでは、売上金と店舗金を随時個別に集計することができなかった。
【０００８】
また、特許文献２に示すような現金処理システムでは、複数のレジに対応することができない。また、たとえ複数のレジの売上金を取得できたとしても、汚れた紙幣や変形した硬貨等、紙幣処理装置や硬貨処理装置が受付することができない貨幣は別途管理され、紙幣処理装置や硬貨処理装置の在高に反映されない。このときに、この在高から売上金を差し引くと、別途管理される貨幣の分だけ店舗金の額が少なくなってしまう。
【０００９】
このように、従来の貨幣処理機では、店舗側に管理権限がある店舗金と収集業者側に管理権限が移されるべき売上金とが一括して１つの在高で管理されているので、店舗金の在高を正確に管理できない等、様々な問題が生じてしまう。
【００１０】
本発明は、このような点を考慮してなされたものであり、リサイクル式貨幣収納繰出部に収納されている貨幣の貨幣量を、複数の区分の貨幣量を用いて管理することにより、１台で複数の区分の貨幣を管理することができ、より利便性の高いものとすることができる貨幣処理機を提供することを目的とする。
【００１１】
とりわけ、リサイクル式貨幣収納繰出部に収納されている貨幣について、店舗側に管理権限がある店舗金と、店舗以外の者に管理権限が移されるべき売上金とに分けて管理するようにした場合には、１台で店舗金と売上金の２つの費目を管理することができ、店舗金の在高を正確に管理することができる。
【課題を解決するための手段】
【００１２】
本発明の貨幣処理機は、筐体と、前記筐体の外部から内部に貨幣を投入するための投入口と、前記投入口に接続され、貨幣の搬送を行う搬送部と、前記搬送部に接続され、搬送されてきた貨幣を収納する貨幣収納部と、前記搬送部に接続され、搬送されてきた貨幣を収納するとともに、この収納した貨幣を前記搬送部に繰り出すリサイクル式貨幣収納繰出部と、前記搬送部および前記リサイクル式貨幣収納繰出部の制御を行う制御部であって、前記リサイクル式貨幣収納繰出部に収納されている貨幣の貨幣量を、複数の区分の貨幣量を用いて管理する制御部と、を備えたことを特徴とする。
【００１３】
本発明の貨幣処理機においては、前記制御部は、前記リサイクル式貨幣収納繰出部の貨幣量を、第１の区分の貨幣量および第２の区分の貨幣量の少なくとも２つの区分の貨幣量を用いて管理し、前記リサイクル式貨幣収納繰出部の貨幣量が変化する際に、前記第１の区分の貨幣量について変化量を前記制御部へ入力でき、この変化量を、前記第１の区分の貨幣量に対して加算または減算することが好ましい。
【００１４】
本発明の貨幣処理機においては、前記制御部は、前記貨幣量について、合計金額、あるいは貨幣の金種毎の数量または金額を管理することが好ましい。
【００１５】
本発明の貨幣処理機においては、前記複数の区分の貨幣量のうち前記第２の区分の貨幣量は、前記リサイクル式貨幣収納繰出部に収納されている貨幣の総量であることが好ましい。
【００１６】
あるいは、前記複数の区分の貨幣量を合計すると、前記リサイクル式貨幣収納繰出部に収納されている貨幣の総量となるようになっていてもよい。
【００１７】
本発明の貨幣処理機においては、前記複数の区分の貨幣量のうち前記第２の区分の貨幣量は、前記リサイクル式貨幣収納繰出部に収納されている貨幣の総量であり、前記筐体の外部から内部に投入された貨幣をリサイクル式貨幣収納繰出部に収納するような納金処理を行う際に、前記第１の区分の貨幣量の変化量である入金量が前記制御部に入力され、前記制御部は、前記入金量を前記第１の区分の貨幣量に加算し、前記納金処理において前記リサイクル式貨幣収納繰出部に収納された貨幣量を前記第２の区分の貨幣量に加算することが好ましい。
【００１８】
あるいは、前記複数の区分の貨幣量を合計すると、前記リサイクル式貨幣収納繰出部に収納されている貨幣の総量となり、前記筐体の外部から内部に投入された貨幣をリサイクル式貨幣収納繰出部に収納するような納金処理を行う際に、前記第１の区分の貨幣量の変化量である入金量が前記制御部に入力され、前記制御部は、前記入金量を前記第１の区分の貨幣量に加算し、前記納金処理において前記リサイクル式貨幣収納繰出部に収納された貨幣量から前記入金量を減算した貨幣量を、他の区分の貨幣量に加算するようになっていてもよい。
【００１９】
本発明の貨幣処理機においては、前記納金処理を行う際に、識別情報が前記制御部に入力され、前記制御部は、当該制御部に入力された前記識別情報に対応する貨幣量を前記入金量とすることが更に好ましい。
【００２０】
本発明の貨幣処理機においては、前記リサイクル式貨幣収納繰出部から前記貨幣収納部に貨幣を送る引渡処理を行う際に、前記制御部は、前記リサイクル式貨幣収納繰出部に収納されている貨幣の貨幣量から、いずれかの区分の貨幣量を減算して求めた貨幣量に相当する貨幣を前記貨幣収納部に送ることが好ましい。
【００２１】
本発明の貨幣処理機においては、前記リサイクル式貨幣収納繰出部に収納されている貨幣を前記筐体の外部に投出するような出金処理を行う際に、出金する貨幣量である出金量が前記制御部に入力され、前記制御部は、前記リサイクル式貨幣収納繰出部に収納されている貨幣から、前記出金量に相当する貨幣を前記筐体の外部に投出させるとともに、前記出金量を前記第１の区分の貨幣量から減算することが好ましい。
【００２２】
この場合、前記出金処理を行う際に、前記制御部は、前記第１の区分の貨幣量が前記出金量よりも小さい場合には、不足する貨幣量を負の値として前記第１の区分の貨幣量の管理を行うことがより好ましい。
【００２３】
本発明の貨幣処理機においては、前記第１の区分の貨幣量は、店舗側に管理権限のある貨幣である店舗金に区分される貨幣量であって、前記制御部に指令を与えるための操作部であって、納金キーおよび店舗金出金キーのうちいずれか１つのキーを選択するような操作部を更に備え、前記制御部は、前記納金キーが選択されたときに、前記筐体の外部から内部に貨幣を投入してこの投入された貨幣をリサイクル式貨幣収納繰出部に送るような納金処理を行い、この際に、前記リサイクル式貨幣収納繰出部に送られた貨幣について、店舗金の区分と売上金の区分とに分けて管理し、前記店舗金出金キーが選択されたときに、前記リサイクル式貨幣収納繰出部に収納された貨幣を前記筐体の外部に投出する店舗金出金処理を行い、この際に、店舗金の区分の貨幣量から前記筐体の外部に投出された貨幣の貨幣量だけ減少させることが好ましい。
【発明の効果】
【００２４】
本発明の貨幣処理機によれば、リサイクル式貨幣収納繰出部に収納されている貨幣の貨幣量を、複数の区分の貨幣量を用いて管理することにより、１台で複数の区分の貨幣を管理することができ、貨幣処理機をより利便性の高いものとすることができる。
【図面の簡単な説明】
【００２５】
【図１Ａ】本発明の一の実施の形態における貨幣処理システムの構成を示すブロック図である。
【図１Ｂ】本発明の一の実施の形態における貨幣処理システムの他の構成を示すブロック図である。
【図２】図１Ａや図１Ｂに示す貨幣処理システムにおける貨幣処理機を示す斜視図である。
【図３Ａ】図２に示す貨幣処理機における紙幣処理装置の構成の概略を示す概略構成図である。
【図３Ｂ】図２に示す貨幣処理機における硬貨処理装置の構成の概略を示す概略構成図である。
【図４】図２に示す貨幣処理機における制御ブロック図である。
【図５】図２に示す貨幣処理機の表示部における表示内容を示す図である。
【図６】図２に示す貨幣処理機の制御部による制御において、リサイクル式紙幣収納部やリサイクル式硬貨収納部に収納されている紙幣や硬貨について、（ａ）は、店舗側に管理権限がある店舗金と、店舗以外の者に管理権限が移されるべき売上金とに分けて管理することを示し、（ｂ）は、店舗側に管理権限がある店舗金と、リサイクル式紙幣収納部やリサイクル式硬貨収納部に収納されている紙幣や硬貨の合計金額（収納合計金額）とに分けて管理することを示す図である。
【図７】本発明における他の構成の貨幣処理機の表示部における表示内容を示す図である。
【図８】本実施の形態の貨幣処理機の動作を示すフローチャートである。
【図９】本実施の形態の貨幣処理機の動作を示すフローチャートである。
【発明を実施するための形態】
【００２６】
以下、図面を参照して本発明の一の実施の形態の貨幣処理機について説明する。本実施の形態に係る貨幣処理機は、収集特定者側に管理権限がある貨幣収納部と、店舗側に管理権限がある貨幣リサイクル処理部とを１つの筐体内に有するものである。
【００２７】
本実施の形態に係る貨幣処理機は、硬貨および紙幣からなる貨幣の補充処理、納金処理、出金処理、引渡処理、大量引渡処理、両替処理、逆両替処理、精査処理、計数処理、締め処理、警備回収処理等を行う機能を有するものである。図１乃至図６は、本発明の一の実施の形態における貨幣処理システムの構成を示す図である。
【００２８】
図１Ａに示すように、本実施の形態の貨幣処理システムは、店舗内に設置された貨幣処理機１０と、この貨幣処理機１０からそれぞれ隔離して店舗外に設けられた現金センター１３およびデータセンター１４とを備えている。現金センター１３およびデータセンター１４には、それぞれ中央制御装置が設置されている。以下の記載において、現金センター１３やデータセンター１４とは、それぞれ中央制御装置を意味している。貨幣処理機１０にはコントローラ１２が設けられており、このコントローラ１２は現金センター１３に有線または無線により通信接続されており、現金センター１３に対して信号の送受信を行うようになっている。このことにより、コントローラ１２を介して現金センター１３から貨幣処理機１０に対して遠隔操作を行うことができるようになっている。ここで、コントローラ１２は貨幣処理機１０に対して例えばＬＡＮ等により接続される通信制御装置や端末、もしくは、貨幣処理機１０に内蔵された通信部等である。
【００２９】
また、図１Ａに示すように、現金センター１３とデータセンター１４とは有線または無線により互いに通信接続されており、現金センター１３とデータセンター１４との間で様々なデータの送受信が行われるようになっている。このため、貨幣処理機１０からコントローラ１２を介して現金センター１３に送られた、貨幣処理機１０における紙幣や硬貨等の貨幣の処理状況に係る情報はデータセンター１４にも送られるようになっている。本発明においては、現金センター１３およびデータセンター１４にそれぞれ中央制御装置が設けられている。しかしながら、中央制御装置はこのような例に限定されることはなく、例えば現金センター１３のみ、あるいはデータセンター１４のみに設けられていてもよい。
【００３０】
また、図１Ａに示すように、店舗には１または複数のキャッシュレジスタ１８が設けられている。なお、図１Ａでは２つのキャッシュレジスタ１８が店舗に設けられた例を示しているが、店舗に３つ以上のキャッシュレジスタ１８が設けられていてもよく、あるいは１つのキャッシュレジスタ１８のみが店舗に設けられるようになっていてもよい。各キャッシュレジスタ１８は、それぞれ店舗側の管理権限下（第１の管理権限下）にあり、これらのキャッシュレジスタ１８は店舗の店員等が操作するようになっている。キャッシュレジスタ１８における釣銭準備金は、貨幣処理機１０から出金された貨幣が店員等によってキャッシュレジスタ１８に補充されるようになっている。
【００３１】
本実施の形態の貨幣処理システムの構成は図１Ａに示すようなものに限定されることはなく、代わりに図１Ｂに示すようなものとすることもできる。図１Ｂに示すような貨幣処理システムは、貨幣処理機１０と、この貨幣処理機１０からそれぞれ隔離して店舗外に設けられた現金センター１３およびデータセンター１４とを備えている点では図１Ａに示す貨幣処理システムと略同一の構成となっているが、この貨幣処理機１０に設けられるコントローラ１７は機能の拡張性の高いコントローラとなっている。
【００３２】
コントローラ１７は、現金センター１３およびデータセンター１４にそれぞれ有線または無線により通信接続されており、現金センター１３およびデータセンター１４に対してそれぞれ信号の送受信を行うようになっている。
【００３３】
図１Ｂに示す貨幣処理システムにおけるコントローラ１７は機能の追加が可能であり、プリンタ１７ａ、カードリーダ１７ｂ、スキャナー１７ｃをそれぞれ接続することができるようになっている。プリンタ１７ａは、貨幣処理機１０における紙幣や硬貨等の貨幣の処理状況に係る情報等を印刷するよう構成されている。また、カードリーダ１７ｂは、貨幣処理機１０に備えているカードリーダに加えて接続でき、操作者が携帯しているＩＤカードのＩＤ情報を読み取るよう構成されている。そして、コントローラ１７に入力された操作者のＩＤ情報に係る信号により、操作者の識別が行われるようになっている。また、スキャナー１７ｃは、紙幣の記番号やバーコード等を撮像するよう構成されている。また、このコントローラ１７はルーターとしての機能も有している。
【００３４】
また、コントローラ１７には操作者のパーソナルコンピュータ１７ｄを接続することも可能となっている。この場合、コントローラ１７に接続されたパーソナルコンピュータ１７ｄにより操作者が貨幣処理機１０の操作を行うことができることとなる。また、このパーソナルコンピュータ１７ｄは、後述するデータセンター１４とも送受信可能とすることができるようになっている。
【００３５】
また、図１Ｂに示す貨幣処理システムでも、図１Ａに示す貨幣処理システムと同様に、店舗には１または複数のキャッシュレジスタ１８が設けられている。
【００３６】
次に、図１Ａや図１Ｂに示す貨幣処理機１０の構成の詳細について図２乃至図４を用いて説明する。
【００３７】
図２に示すように、貨幣処理機１０は略直方体形状の筐体１１を備えており、この筐体１１には、貨幣処理機１０を前方から見て上部右側に配置された紙幣処理装置２０と、貨幣処理機１０を前方から見て上部左側に配置された硬貨処理装置３０とがそれぞれ設けられている。また、貨幣処理機１０の筐体１１において、紙幣処理装置２０および硬貨処理装置３０の下方には、硬貨および紙幣の収納を行う貨幣収納部４０が設けられている。ここで、貨幣処理機１０のうち、紙幣処理装置２０および硬貨処理装置３０は店舗側の管理権限下（第１の管理権限下）にあり、貨幣収納部４０は収集特定者側の管理権限下（第２の管理権限下）にある。
【００３８】
以下、紙幣処理装置２０、硬貨処理装置３０および貨幣収納部４０の各構成要素について説明する。
【００３９】
まず、紙幣処理装置２０の構成について図２および図３Ａを用いて説明する。図２および図３Ａに示すように、紙幣処理装置２０は、当該紙幣処理装置２０内への紙幣の取り込みを行う紙幣投入口２１と、紙幣処理装置２０内に取り込まれた紙幣のうち偽札や識別不能な紙幣等のリジェクトを行う紙幣リジェクト口２２と、紙幣処理装置２０内に取り込まれた紙幣のうち貨幣収納部４０に収納されない紙幣を紙幣処理装置２０の外部に返却する紙幣返却口２３とを備えている。また、図３Ａに示すように、紙幣処理装置２０の内部には、紙幣投入口２１に投入された紙幣を紙幣処理装置２０内で搬送する搬送部２５が設けられている。
【００４０】
紙幣投入口２１は、操作者により１または束状態の複数の紙幣が短手方向に一括して投入されるよう構成されている。図２に示すように、この紙幣投入口２１には紙幣ステージ２８が配設されている。紙幣ステージ２８は、待機時には上昇位置にありこの際には操作者は紙幣投入口２１に紙幣を投入することができず、一方、紙幣の処理時には下降して操作者が紙幣投入口２１に紙幣を投入することができるように構成されている。また、図３Ａに示すように、紙幣投入口２１は搬送部２５に接続されており、紙幣投入口２１に投入された１または束状態の複数の紙幣は、１枚ずつ搬送部２５で搬送されるようになっている。また、紙幣リジェクト口２２は、図３Ａに示すように搬送部２５に接続されており、紙幣投入口２１により紙幣処理装置２０内に取り込まれた紙幣のうち後述する識別部２６によりリジェクトすべき紙幣であると識別された紙幣や識別部２６で識別することができなかった紙幣が搬送部２５から送られるようになっている。操作者はこの紙幣リジェクト口２２に送られた紙幣を取り出すことができるようになっている。
【００４１】
紙幣返却口２３には、図３Ａに示すように、搬送部２５に接続された紙幣保留部２９が設けられている。この紙幣保留部２９には、搬送部２５から紙幣が送られるようになっている。また、紙幣返却口２３には開閉可能な扉２４が設けられている。紙幣保留部２９にある紙幣を返却する場合には、紙幣保留部２９の装置前面側の壁面が開いて、操作者は扉２４から紙幣を取り出すことができるようになっている。扉２４は、紙幣の取り出しが可能な状態になれば、自動的に開くようになっている。なお、後述のように、紙幣保留部２９内に保留された紙幣は、操作者により紙幣返却口２３から取り出される代わりに、貨幣収納部４０内に配置された紙幣収納カセット４１（後述）に送られる場合もある。
【００４２】
搬送部２５は、紙幣処理装置２０の内部で紙幣を１枚ずつ順次搬送する機能を有している。具体的には、搬送部２５において、紙幣は一対のベルト間に挟まれて搬送路に沿って搬送されるようになっている。また、図３Ａに示すように、搬送部２５に設けられた搬送路は様々な箇所で分岐するようになっており、この搬送路が分岐する箇所には分岐部材（図示せず）が設けられている。各分岐部材は例えば分岐爪からなり、これらの分岐部材はそれぞれ後述する制御部１５により制御されるようになっている。また、搬送部２５には、当該搬送部２５で搬送される紙幣の識別を１枚ずつ行う識別部２６が介設されている。この識別部２６は、搬送部２５で搬送される紙幣の金種、真偽、正損等を識別するようになっている。識別部２６による紙幣の識別結果は後述する制御部１５に送られるようになっている。
【００４３】
紙幣処理装置２０の内部には、リサイクル式紙幣収納部２７が複数（例えば３つ）並列に設けられている。ここで、複数のリサイクル式紙幣収納部２７ａ〜２７ｃは、概して金種別に紙幣を一時的に収納するようになっている。図３Ａに示すように、各リサイクル式紙幣収納部２７は、正逆両方向に回転可能なドラム２７ｐをそれぞれ有しており、各ドラム２７ｐに一対のテープが巻き取られて収納される。また、ドラム２７ｐを逆転させると巻き取られた紙幣が１枚ずつ搬送部２５に送られる。搬送部２５から各リサイクル式紙幣収納部２７に送られた紙幣は、この一対のテープの間に挟まれた状態で１枚ずつ順次ドラム２７ｐにより巻き取られるようになっている。なお、各リサイクル式紙幣収納部２７は、上述のような、ドラム２７ｐおよび一対のテープからなり紙幣が一対のテープの間に挟まれた状態でこの一対のテープごとドラム２７ｐにより巻き取られるような構成に限定されることはなく、他の構成とすることもできる。例えば、各リサイクル式紙幣収納部２７をスタッカ式（積層式）のものとしてもよい。
【００４４】
紙幣保留部２９は、前述のように紙幣返却口２３に設けられており、図３Ａに示すように搬送部２５に接続されている。この紙幣保留部２９には、紙幣投入口２１に投入された紙幣や、各リサイクル式紙幣収納部２７に収納された紙幣が搬送部２５により送られるようになっており、搬送部２５から送られた紙幣を束状態で複数保留することができるようになっている。ここで、紙幣保留部２９にある紙幣を返却する場合には、前述のように、紙幣保留部２９の装置前面側の壁面が開いて、操作者は扉２４から紙幣を取り出すことができるようになっている。扉２４は、紙幣の取り出しが可能な状態になれば、自動的に開くようになっている。また、紙幣保留部２９に紙幣が保留される際に、紙幣は一時保留板に載せられるようになっており、紙幣保留部２９にある紙幣を紙幣収納カセット４１に収納させる際には、この紙幣収納カセット４１に設けられたステージが紙幣保留部２９の一時保留板に載せられた紙幣を迎えにいき、一時保留板が退避して紙幣が落下すると、紙幣をステージ上に載せて紙幣保留部２９から紙幣収納カセット４１へ下降し、そしてステージ上の紙幣を上から押さえ部材で押さえて紙幣収納カセット４１へ収納するようになっている。
【００４５】
次に、硬貨処理装置３０の構成について図２および図３Ｂを用いて説明する。図２および図３Ｂに示すように、硬貨処理装置３０は、当該硬貨処理装置３０内への硬貨の取り込みを行う硬貨投入口３１と、硬貨処理装置３０内に取り込まれた硬貨のうち後述する識別部３５ａにより識別不能な硬貨等のリジェクトを行ったり、硬貨処理装置３０内に取り込まれた硬貨のうち貨幣収納部４０に収納されない硬貨を硬貨処理装置３０の外部に返却したりする硬貨返却口３２とを備えている。また、図３Ｂに示すように、硬貨処理装置３０の内部には、硬貨投入口３１に投入された硬貨を硬貨処理装置３０内で搬送する搬送部３５が設けられている。
【００４６】
硬貨投入口３１は、操作者により１または複数の硬貨が一括して投入されるよう構成されている。この硬貨投入口３１に投入された硬貨は、硬貨処理装置３０の内部に送られるようになっている。硬貨返却口３２は、搬送部３５の下流側端部に接続されており、この搬送部３５から送られた硬貨を貯留するようになっている。操作者はこの硬貨返却口３２に貯留された硬貨を取り出すことができるようになっている。ここで、硬貨返却口３２には、前述のように、硬貨処理装置３０内に取り込まれた硬貨のうち後述する識別部３５ａにより識別不能な硬貨等が送られるとともに、硬貨処理装置３０内に取り込まれた硬貨のうち貨幣収納部４０に収納されない硬貨が送られるようになっており、このような硬貨が硬貨返却口３２により硬貨処理装置３０の外部に返却されるようになっている。
【００４７】
図３Ｂに示すように、硬貨処理装置３０の内部には硬貨繰出部３３が設けられている。この硬貨繰出部３３は硬貨投入口３１に連通しており、操作者により硬貨投入口３１から投入された硬貨を一時的に貯留するとともに、この貯留された硬貨を後述する搬送部３５に繰り出すようになっている。
【００４８】
搬送部３５は、硬貨処理装置３０の内部で硬貨を１枚ずつ順次搬送する機能を有している。図３Ｂに示すように、搬送部３５の上流側端部および下流側端部は、硬貨繰出部３３および硬貨返却口３２にそれぞれ接続されている。また、搬送部３５には、当該搬送部３５で搬送される硬貨の識別を１枚ずつ行う識別部３５ａが介設されている。この識別部３５ａは、搬送部３５で搬送される硬貨の金種や真偽等を識別するようになっている。識別部３５ａによる紙幣の識別結果は後述する制御部１５に送られるようになっている。
【００４９】
硬貨処理装置３０の内部には、筒状の上入れ上出しタイプのリサイクル式硬貨収納部３４が複数（例えば６つ）並列に設けられており、各リサイクル式硬貨収納部３４はそれぞれ鉛直方向に延びるようになっている。ここで、複数のリサイクル式硬貨収納部３４ａ〜３４ｆは、概して金種別に硬貨を積層状態で一時的に収納するようになっている。
【００５０】
図３Ｂに示すように、搬送部３５の途中部分には、硬貨繰出部３３から下流側に向かって順に、間隔をおいて７つの選別孔３６が設けられている。ここで、７つの選別孔３６のうち最も上流側にある選別孔３６（オーバーフロー用の選別孔３６）は、搬送部３５から後述する横方向搬送部３８に直接硬貨を送るために設けられている。具体的には、最も上流側にある選別孔３６は、識別部３５ａによる硬貨の識別結果が所定の条件を満たしたときに（例えば、識別部３５ａにより識別された硬貨の金種に対応するリサイクル式硬貨収納部３４が満杯であったときに）、この硬貨を横方向搬送部３８上に送るようになっている。また、上流側から２番目〜７番目の選別孔３６は、それぞれ各リサイクル式硬貨収納部３４ａ〜３４ｆに対応するものである。
【００５１】
図３Ｂに示すように、鉛直方向にそれぞれ延びる各リサイクル式硬貨収納部３４の上部には、硬貨を一時的に保留する金種別硬貨一時保留部３９が設けられている。７つの選別孔３６のうち最も上流側にある選別孔３６以外の各選別孔３６を介して搬送部３５から落下した硬貨は、まず金種別硬貨一時保留部３９により一時的に保留されるようになっている。そして、この金種別硬貨一時保留部３９に保留された硬貨が各リサイクル式硬貨収納部３４に収納されるようになっている。また、この金種別硬貨一時保留部３９は投出部材を有しており、この投出部材により、金種別硬貨一時保留部３９に保留された硬貨を後述する横方向搬送部３８上に投げ出すこともできるようになっている。一方、各リサイクル式硬貨収納部３４内に収納された硬貨がこのリサイクル式硬貨収納部３４から取り出される場合には、まずリサイクル式硬貨収納部３４の下部に設けられたステージ（図示せず）が上方に持ち上げられ、ステージ上の硬貨が金種別硬貨一時保留部３９に送られ、そしてこの硬貨は金種別硬貨一時保留部３９の投出部材により横方向搬送部３８上に投げ出されるようになっている。
【００５２】
図３Ｂに示すように、硬貨処理装置３０の内部には硬貨保留部３７ａが設けられており、この硬貨保留部３７ａの上部にはシュート３７ｂが設置されている。ここで、後述する横方向搬送部３８からシュート３７ｂの上部に送られた硬貨は、当該シュート３７ｂ内を通過して硬貨保留部３７ａに送られるようになっている。硬貨保留部３７ａに一時的に保留された硬貨は、貨幣収納部４０内に配置された硬貨収納カセット４２（後述）に送られるようになっている。
【００５３】
図３Ｂに示すように、硬貨処理装置３０の内部において、鉛直方向にそれぞれ延びる各リサイクル式硬貨収納部３４の近傍には、例えば略水平方向に延びる循環ベルト３８ａを有する横方向搬送部３８が設けられている。循環ベルト３８ａは図３Ｂの時計回りおよび反時計回りの両方に循環移動可能となっている。また、横方向搬送部３８の一端は硬貨繰出部３３内に位置しており、横方向搬送部３８の他端はシュート３７ｂの上部の近傍に位置している。ここで、循環ベルト３８ａが図３Ｂにおける反時計回りに回転したときには、横方向搬送部３８上にある硬貨は硬貨繰出部３３に送られるようになっている。一方、循環ベルト３８ａが図３Ｂにおける時計回りに回転したときには、横方向搬送部３８上にある硬貨はシュート３７ｂに送られ、最終的には硬貨保留部３７ａで保留されることとなる。
【００５４】
次に、貨幣収納部４０の構成について図２を用いて説明する。図２に示すように、貨幣収納部４０は、貨幣処理機１０の筐体１１の下部に設けられている。この貨幣収納部４０は、図３Ａおよび図３Ｂに示すように、紙幣を収納する紙幣収納カセット４１、および硬貨を収納する硬貨収納カセット４２を有している。紙幣収納カセット４１には、紙幣処理装置２０の紙幣保留部２９に保留された紙幣が収納されるようになっている（図３Ａ参照）。硬貨収納カセット４２には、硬貨処理装置３０の硬貨保留部３７ａに保留された硬貨が収納されるようになっている（図３Ｂ参照）。そして、例えば売上金の回収業務を委託された警備会社の警備員等の収集特定者によって、貨幣収納部４０の各カセット４１、４２が筐体１１の前面側へ引き出され、この収集特定者が各カセット４１、４２自体を回収するようになっている。
【００５５】
ここで、前述のように、紙幣処理装置２０や硬貨処理装置３０は店舗側に管理権限（第１の管理権限）がある。一方、貨幣収納部４０は収集特定者側に管理権限（第２の管理権限）がある。このため、紙幣処理装置２０におけるリサイクル式紙幣収納部２７や、硬貨処理装置３０におけるリサイクル式硬貨収納部３４にある紙幣や硬貨に対する様々な処理や、この紙幣や硬貨の入出金情報や在高データへのアクセスは店舗側の権限のある操作者のみが行うことができる。一方、貨幣収納部４０にある紙幣や硬貨の回収は収集業者の収集特定者のみが行うことができる。
【００５６】
次に、貨幣処理機１０に設けられた他の様々な機構について説明する。図２に示すように、貨幣処理機１０の筐体１１の上面には、操作者が貨幣処理機１０の制御部１５（後述）に対して様々な指令を行うための操作部４５、および貨幣処理機１０における貨幣の処理内容等を表示する表示部４４が設けられている。ここで、操作部４５は、例えばテンキーや確定キー、スタートキー、取消キーならびにリセットキーを有しており、操作者が各キーを押すことにより貨幣処理機１０の制御部１５に対して様々な指令を行うことができるようになっている。表示部４４は、例えば液晶ディスプレイ（ＬＣＤ）から構成されている。
【００５７】
図５に、表示部４４における表示内容を具体的に示す。図５（ａ）に示すように、表示部４４の初期状態において、枚数計数キー、店舗金キー、警備回収キー、管理業務キー、両替キー、逆両替キー、納金キー、大量納金キーがそれぞれ表示部４４に表示されている。そして、操作部４５によりこれらの複数のキーの中から１つのキーを選ぶようになっている。ここで、操作部４５により枚数計数キーが選択されると、貨幣処理機１０において店員等により後述する計数処理が行われる。また、操作部４５により店舗金キーが選択されると、表示部４４における表示が図５（ｂ）に示す画面に切り替わる。図５（ｂ）に示す画面において、操作部４５により入金キーおよび出金キーの中から１つのキーを選ぶようになっている。店舗金キーを選択した後、入金キーまたは出金キーを選択した場合の貨幣処理機１０の動作については後述する。また、操作部４５により警備回収キーが選択されると、貨幣処理機１０において収集特定者により後述する警備回収処理が行われる。また、操作部４５により管理業務キーが選択されると、貨幣処理機１０が管理業務モードとなる。また、操作部４５により両替キー、逆両替キー、納金キー、大量納金キーが選択されると、貨幣処理機１０において店員等により後述する両替処理、逆両替処理、納金処理、大量納金処理がそれぞれ行われる。
【００５８】
また、筐体１１の前面には、貨幣処理機１０における貨幣の処理内容等を印字するプリンタ４３、および操作者の操作権限の確認を行うためのカードリーダ４６がそれぞれ設けられている。カードリーダ４６は、操作者が携帯するＩＤカードのＩＤ情報の読み取りを行うようになっている。
【００５９】
次に、貨幣処理機１０における各構成要素の制御を行う制御部１５について図４を用いて説明する。制御部１５は貨幣処理機１０の筐体１１内に設置されている。
【００６０】
図４に示すように、制御部１５には、紙幣処理装置２０の各構成要素（例えば、搬送部２５、識別部２６、リサイクル式紙幣収納部２７、紙幣ステージ２８、紙幣保留部２９、扉２４等）、硬貨処理装置３０の各構成要素（例えば、硬貨繰出部３３、搬送部３５、識別部３５ａ、横方向搬送部３８、金種別硬貨一時保留部３９を含むリサイクル式硬貨収納部３４、硬貨保留部３７ａ等）、貨幣収納部４０、表示部４４、操作部４５、プリンタ４３、カードリーダ４６、記憶部４７等が接続されている。また、制御部１５にはインターフェースを介してコントローラ１２（１７）が接続されている。
【００６１】
制御部１５には、紙幣処理装置２０の識別部２６による紙幣の識別結果や、硬貨処理装置３０の識別部３５ａによる硬貨の識別結果が送られるようになっている。また、制御部１５には、操作部４５からの入力やカードリーダ４６によりカードから読み取られた操作者のＩＤ情報等の情報が送られるようになっている。
【００６２】
また、制御部１５は、貨幣処理機１０の操作が行われる際は操作部４５やカードリーダ４６から入力された操作者のＩＤ情報をもとに操作者の権限の確認を行う。また、制御部１５は、紙幣処理装置２０や硬貨処理装置３０の各構成要素を制御したり、表示部４４、プリンタ４３等を制御したりするようになっている。
【００６３】
現金センター１３またはデータセンター１４は、コントローラ１２（１７）を介して、貨幣処理機１０に対して当該貨幣処理機１０の各種処理に係る指令の信号を送信するようになっている。具体的には、現金センター１３は貨幣処理機１０に対して、締めコマンド、引渡コマンド、警備回収コマンド、納金コマンド、出金コマンド、補充コマンド、精算コマンド、両替コマンド、逆両替コマンド、枚数計数コマンド、店舗金コマンド、リセットコマンド、確定コマンド、スタートコマンド、ロック解除コマンド、およびプログラムダウンロードコマンドからなる群のうち少なくとも１つのコマンドに係る信号を送信するようになっている。
【００６４】
また、現金センター１３またはデータセンター１４は、コントローラ１２（１７）を介して、貨幣処理機１０から当該貨幣処理機１０における貨幣の処理状況に係る情報の信号を受信するようになっている。具体的には、データセンター１４は、締めデータ、引渡データ、警備回収データ、リサイクル式貨幣収納部在高データ、納金データ、出金データ、補充データ、精算データ、両替データ、逆両替データ、枚数計数データ、在高データ、店舗金データ、システムデータ、障害データ、およびプログラムデータからなる群のうち少なくとも１つのデータに係る信号を貨幣処理機１０から受信するようになっている。
【００６５】
ここで、現金センター１３またはデータセンター１４は、コントローラ１２（１７）および制御部１５を介して、貨幣処理機１０の紙幣処理装置２０、硬貨処理装置３０および貨幣収納部４０のそれぞれに対して信号の送受信を行うようになっている。
【００６６】
次に、このような構成からなる貨幣処理機１０の動作について説明する。
【００６７】
上述のような貨幣処理機１０の動作としては、インターフェース確認モード、運用モードおよび保守メンテナンスモードの３つのモードがある。操作者は、操作部４５により、インターフェース確認モード、運用モードあるいは保守メンテナンスモードを選択することができる。
【００６８】
インターフェース確認モードとは、貨幣処理機１０の初期状態において、すなわち貨幣処理機１０が導入された際に、インターフェースにより貨幣処理機１０が上位装置等に通信接続されるか否かを確認するためのモードである。このようなインターフェース確認モードにおいて、インターフェースにより貨幣処理機１０が上位装置等に通信接続されたときには、上位装置等から貨幣処理機１０に様々な設定データが送られる。
【００６９】
運用モードには、貨幣処理機１０が現金センター１３やデータセンター１４等に通信接続された状態のオンラインモードと、貨幣処理機１０と外部との通信接続が遮断された状態のオフラインモードの２つの状態がある。オンラインモードには開店モードと閉店モードの２つのモードがあり、開店モードにおいて、操作者は後述する補充処理、納金処理、出金処理、引渡処理、大量引渡処理、両替処理、逆両替処理、精査処理、計数処理等を行うことができる。また、この開店モードにおいては、例えば売上金の回収業務を委託された収集業者の収集特定者によって、貨幣収納部４０の各カセット４１、４２自体の回収を行うこともできる。一方、閉店モードにおいては、収集特定者による貨幣収納部４０の各カセット４１、４２の回収のみしか行うことができない。なお、これらの開店モードおよび閉店モードの切り換えは、時間帯等による自動での切り替えも可能である。一方、オフラインモードにおいては、現金センター１３やデータセンター１４等に対する情報の伝達は行われず、納金処理等の処理結果は貨幣処理機１０の記憶部４７に記憶されることとなる。上述の各モードの選択は、操作者が操作部４５により行うことができる。
【００７０】
保守メンテナンスモードの際に、保守員が貨幣処理機１０の紙幣処理装置２０や硬貨処理装置３０、貨幣収納部４０の各構成要素の保守メンテナンスを行う。このような保守メンテナンスは、貨幣処理機１０が設置された現場で行ってもよく、貨幣処理機１０を工場等に持ち帰ってこの工場内で行ってもよい。
【００７１】
上述した補充処理、納金処理、出金処理、引渡処理、大量引渡処理、両替処理、逆両替処理、精査処理、計数処理、締め処理、警備回収処理の各々の詳細について以下に説明する。以下に示す各処理は、制御部１５が各構成要素を制御することにより行われる。また、後に詳述するように、以下に示す補充処理、納金処理、出金処理、引渡処理、大量引渡処理、両替処理、逆両替処理、精査処理、計数処理、締め処理、警備回収処理の各々は、操作者により操作部４５を介して制御部１５に対して各種の命令がなされることにより、あるいは現金センター１３またはデータセンター１４からコントローラ１２（１７）を介して制御部１５に対して各種の命令がなされることにより行われる。
【００７２】
＜補充処理＞
まず、紙幣や硬貨の補充処理について簡単に説明する。紙幣や硬貨の補充処理とは、紙幣を金種毎に紙幣処理装置２０の各リサイクル式紙幣収納部２７に補充したり、硬貨を金種毎に硬貨処理装置３０の各リサイクル式硬貨収納部３４に補充したりする処理のことをいう。補充処理が行われると、補充された紙幣や硬貨の金額または金種毎の枚数である貨幣補充量が日時や操作者ＩＤ等とともに補充データとして記憶部４７に記憶される。また、記憶部４７に記憶されている各リサイクル式紙幣収納部２７や各リサイクル式硬貨収納部３４に収納されている紙幣や硬貨の金額または金種毎の枚数である貨幣リサイクル部在高は、貨幣補充量が加算されて更新される。
【００７３】
＜納金処理＞
次に、紙幣や硬貨の納金処理について簡単に説明する。納金処理には、引渡連動形態のものと引渡非連動形態のものがある。引渡連動形態における納金処理とは、貨幣処理機１０に対して貨幣の納金を行い、そのまま後述する引渡処理が連続して実行されるモードのことをいう。具体的には、紙幣はリサイクル式紙幣収納部２７に一時保留し（納金）、その後、紙幣保留部２９に保留し、最後に紙幣収納カセット４１に収納させる（引渡）。また、硬貨は金種別硬貨一時保留部３９に保留し（納金）、その後、硬貨保留部３７ａに保留し、最後に硬貨収納カセット４２に収納させる（引渡）。そして、納金された紙幣や硬貨の金額または金種毎の枚数である貨幣納金量が日時や操作者ＩＤ等とともに引渡連動形態の納金データとして記憶部４７に記憶される。また、記憶部４７に記憶されている、貨幣収納部４０の紙幣収納カセット４１や硬貨収納カセット４２に収納されている紙幣や硬貨の金額または金種毎の枚数である貨幣収納部在高は、貨幣納金量が加算されて更新される。一方、引渡非連動形態における納金処理は、単に貨幣処理機１０に対して貨幣の納金のみが行われるモードのことをいう。この納金の後、貨幣納金量が日時や操作者ＩＤ等とともに引渡非連動形態の納金データとして記憶部４７に記憶され、貨幣リサイクル部在高は貨幣納金量が加算されて更新される。その後、貨幣収納部４０へ貨幣の引き渡しを行いたければ、独立して引渡処理（後述）を行うこととなる。なお、引渡連動形態および引渡非連動形態は、貨幣処理機１０の設置時に設定されるようになっている。
【００７４】
＜出金処理＞
次に、紙幣や硬貨の出金処理について簡単に説明する。紙幣や硬貨の出金処理とは、紙幣処理装置２０の各リサイクル式紙幣収納部２７に収納された紙幣を当該紙幣処理装置２０の外部に出したり、硬貨処理装置３０の各リサイクル式硬貨収納部３４に収納された硬貨を当該硬貨処理装置３０の外部に出したりする処理のことをいう。出金処理が行われると、出金された紙幣や硬貨の金額または金種毎の枚数である貨幣出金量が日時や操作者ＩＤ等とともに引渡連動形態の納金データとして記憶部４７に記憶される。また、貨幣リサイクル部在高は、貨幣出金量が減算されて更新される。
【００７５】
＜引渡処理＞
次に、紙幣や硬貨の引渡処理について説明する。ここで、紙幣や硬貨の引渡処理とは、紙幣処理装置２０の各リサイクル式紙幣収納部２７に収納された紙幣を貨幣収納部４０の紙幣収納カセット４１に送ったり、硬貨処理装置３０の各リサイクル式硬貨収納部３４に収納された硬貨を貨幣収納部４０の硬貨収納カセット４２に送ったりする処理のことをいう。このような引渡処理が行われると、各リサイクル式紙幣収納部２７や各リサイクル式硬貨収納部３４から貨幣収納部４０に送られた紙幣や硬貨の管理権限は第１の管理権限下（店舗側の管理権限下）から第２の管理権限下（収集特定者側の管理権限下）に変更される。そして、貨幣リサイクル部在高は、引渡処理が行われた紙幣や硬貨の金額や金種毎の枚数である貨幣引渡量分だけ減少し、一方、貨幣収納部在高は、引渡処理が行われた紙幣や硬貨の金額や金種毎の枚数である貨幣引渡量分だけ増加する。貨幣引渡量は、日時や操作者ＩＤ等とともに引渡データとして記憶部４７に記憶される。
【００７６】
上述のような引渡処理において、紙幣や硬貨が貨幣収納部４０に送られると、貨幣引渡量に相当する金額が、収集業者に関連する金融機関の口座から、店舗に関連する金融機関の口座に入金される。すなわち、店舗側からすれば、管理権限下ではなくなった紙幣や硬貨に相当する金額が、店舗に関連する金融機関の口座に入金されることとなる。
【００７７】
＜大量引渡処理＞
次に、紙幣や硬貨の大量引渡処理について簡単に説明する。ここで、紙幣や硬貨の大量引渡処理とは、大量の紙幣を貨幣収納部４０の紙幣収納カセット４１内に引渡したり、大量の硬貨を貨幣収納部４０の硬貨収納カセット４２内に引渡したりする処理のことをいう。このような大量引渡処理においても、上述した引渡処理と同様に、紙幣処理装置２０や硬貨処理装置３０から貨幣収納部４０に送られた紙幣や硬貨の管理権限は第１の管理権限下（店舗側の管理権限下）から第２の管理権限下（収集特定者側の管理権限下）に変更される。また、貨幣収納部４０に送られた紙幣や硬貨に相当する金額が、収集特定者に関連する金融機関の口座から、店舗に関連する金融機関の口座に入金される。
【００７８】
＜両替処理、逆両替処理＞
次に、紙幣や硬貨の両替処理および逆両替処理について説明する。ここで、紙幣や硬貨の両替処理および逆両替処理とは、紙幣や硬貨を紙幣処理装置２０内や硬貨処理装置３０内に取り込み、合計金額は同じであるが紙幣処理装置２０内や硬貨処理装置３０内に取り込んだ紙幣や硬貨の金種とは異なる金種の紙幣や硬貨を紙幣処理装置２０や硬貨処理装置３０の外部に戻すような処理のことをいう。
【００７９】
＜精査処理＞
次に、紙幣や硬貨の精査処理について簡単に説明する。紙幣の精査処理とは、紙幣処理装置２０内にある紙幣を計数し、紙幣リジェクト口２２に出して枚数や金額を確認した後、再度入金させるような処理のことをいう。また、硬貨の精査処理とは、硬貨処理装置３０内にある硬貨を計数し、硬貨返却口３２に出して枚数や金額を確認した後、再度入金させるような通常の精査処理方法と、各リサイクル式硬貨収納部３４にある硬貨を横方向搬送部３８上へ送り、硬貨繰出部３３により繰り出して搬送部３５で搬送し、金種別硬貨一時保留部３９から各リサイクル式硬貨収納部３４に戻すようにした自動精査処理方法の２つの方法がある。ここで、硬貨の精査処理において、前者の方法を行うか後者の方法を行うかは、操作者が表示部４４を見ながら操作部４５により選択することができるようになっている。
【００８０】
＜計数処理＞
次に、紙幣や硬貨の計数処理について簡単に説明する。紙幣や硬貨の計数処理とは、手元にある紙幣や硬貨がいくらあるかを計数する処理である。具体的には、紙幣の計数処理とは、紙幣処理装置２０内に紙幣を送り、正常な紙幣については紙幣保留部２９で一時保留し、異常な紙幣については紙幣リジェクト口２２に送ってリジェクトし、この際に紙幣の計数を行い、最終的に扉２４が自動的に開いて紙幣保留部２９にある紙幣が操作者により取り出されるような処理のことをいう。一方、硬貨の計数処理とは、硬貨処理装置３０内に硬貨を送り、正常な硬貨についてはオーバーフロー用の選別孔３６を通って横方向搬送部３８に送られ、異常な硬貨については硬貨返却口３２に送られ、このリジェクト硬貨を取り除いてから、横方向搬送部３８に送られた硬貨を硬貨繰出部３３、搬送部３５を介して硬貨返却口３２に送ってこの硬貨返却口３２にある硬貨が操作者により取り出されるような処理のことをいう。
【００８１】
＜締め処理＞
次に、締め処理について簡単に説明する。操作者により操作部４５を介して制御部１５に対して締め命令がなされると、あるいは現金センター１３またはデータセンター１４からコントローラ１２（１７）を介して制御部１５に対して締め命令がなされると、対象期間内に、具体的には前回の締め処理から今回の締め処理までの間に、引渡処理によって紙幣収納カセット４１に収納された紙幣および硬貨収納カセット４２に収納された硬貨の金種毎の枚数または合計金額もしくは金種毎の金額のデータである締めデータを集計する。そして、この締めデータが中央制御装置に送信される。前述の口座への入金は、引渡処理の都度行ってもよく、あるいは、この締め処理時に、締めデータに基づいて、対象期間内の引渡処理の分をまとめて行ってもよい。
【００８２】
＜警備回収処理＞
次に、回収処理について説明する。収集業者の収集特定者により操作部４５を介して回収処理の指令が制御部１５に送られたとき、制御部１５は貨幣収納部４０の扉のロックを解除し、紙幣収納カセット４１と硬貨収納カセット４２とを取り出し可能とする。収集業者の収集特定者が、各カセットを取り出して代わりの空のカセットと交換して扉を閉じると、回収された紙幣や硬貨の金種毎の枚数または合計金額もしくは金種毎の金額のデータである回収データが中央制御装置に送信される。
【００８３】
以上の各処理は、納金処理の引渡連動態様の引渡処理を除き、操作部４５を操作して各処理を選択する等の必要な入力を行い、スタートキーを押下することにより開始される。また、補充処理、納金処理においては、取消キーが押下できるタイミングで確定キーを押下すると、処理が確定して終了する。
【００８４】
あるいは、前述のように、現金センター１３またはデータセンター１４が貨幣処理機１０に対して、締め命令、引渡命令、警備回収命令、納金命令、出金命令、補充命令、精算命令、両替命令、逆両替命令、枚数計数命令、店舗金命令、リセット命令、確定命令、スタート命令、ロック解除命令、およびプログラムダウンロード命令からなる群のうち少なくとも１つの命令に係る信号を送信するようになっている。これらの命令は、上述の各処理における操作部４５の操作に代わるものである。
【００８５】
また、貨幣処理機１０から現金センター１３またはデータセンター１４に、締めデータ、引渡データ、警備回収データ、リサイクル式貨幣収納部在高データ、納金データ、出金データ、補充データ、精算データ、両替データ、逆両替データ、枚数計数データ、在高データ、店舗金データ、システムデータ、障害データ、およびプログラムデータからなる群のうち少なくとも１つのデータに係る信号を送信するようになっている。
【００８６】
このようにデータセンター１４または現金センター１３から貨幣処理機１０の情報を得ることができるので、店舗内に権限のある操作者が常駐していなくとも、貨幣処理システムの運用ができる。各データについて、データを取得した日時や店舗識別情報、貨幣処理機識別情報を含め、いつ、どの貨幣処理機から取得したデータであるかを明確にする。また、締めデータ、引渡データ、警備回収データ、納金データ、出金データ、補充データ、精算データ、両替データ、逆両替データ、枚数計数データおよび障害データについては、操作者のＩＤ情報等、操作者に関する情報や操作を行った日時も含めることにより、誰がいつどの貨幣処理機１０にどのように貨幣に関する操作を行ったのかを管理することができる。
【００８７】
本実施の形態に係る貨幣処理機１０においては、制御部１５は、リサイクル式紙幣収納部２７やリサイクル式硬貨収納部３４に収納されている紙幣や硬貨の貨幣量を、複数の区分の貨幣量を用いて管理するようになっている。より具体的には、制御部１５は、リサイクル式貨幣収納繰出部（以下では、リサイクル式紙幣収納部２７とリサイクル式硬貨収納部３４を合わせて、リサイクル式貨幣収納繰出部とする）の貨幣量を、第１の区分の貨幣量および第２の区分の貨幣量の少なくとも２つの区分の貨幣量を用いて管理し、この貨幣量が変化する際に、第１の区分の貨幣量について変化量を制御部１５に入力でき、この変化量を、第１の区分の貨幣量に対して加算または減算することができるようになっている。ここで、制御部１５は、貨幣量について、合計金額、あるいは貨幣の金種毎の数量または金額を管理するようになっている。また、複数の区分の貨幣量を合計すると、リサイクル式貨幣収納繰出部に収納されている紙幣や硬貨の総量となるようになっている。
【００８８】
さらに詳細には、図６（ａ）に示すように、制御部１５は、リサイクル式貨幣収納繰出部に収納されている紙幣や硬貨の貨幣量について、店舗側に管理権限がある店舗金と、収集特定者側に管理権限が移されるべき売上金とに分けて管理するようになっている。この際に、制御部１５は、店舗金について、紙幣や硬貨の合計金額、あるいは紙幣や硬貨の金種毎の数量または金額を管理するとともに、売上金について、紙幣や硬貨の合計金額、あるいは紙幣や硬貨の金種毎の数量または金額を管理することとなる。
【００８９】
より具体的に説明すると、図６（ａ）に示すように、貨幣処理機１０の機内の貨幣の在高は、貨幣収納部４０における貨幣の在高（すなわち、引渡済の金額）と、リサイクル式貨幣収納繰出部における貨幣の在高（引渡前金額）との合計値となる。そして、リサイクル式貨幣収納繰出部における貨幣の在高は、店舗金の在高と売上金の在高との合計値となる。
【００９０】
本実施の形態の貨幣処理機１０の動作について、図８および図９に示すフローチャートを用いてより詳細に説明する。
【００９１】
まず、操作者が携帯するＩＤカードのＩＤ情報をカードリーダ４６により読み取ることにより、操作者のＩＤ情報を取得する（図８のＳＴＥＰ１）。次に、表示部４４における表示が図５（ａ）に示すような待機状態の画面となっているときに、操作部４５により納金キーを選択した場合には、以下に示す納金処理が行われる（図８のＳＴＥＰ２の「ＹＥＳ」）。納金処理が行われる際に、まず、操作者によって店舗金の入金額（入金量）が操作部４５により制御部１５に入力される（図８のＳＴＥＰ３）。
【００９２】
そして、貨幣が投入口に投入された後、操作者がスタートキーを押下すると（図８のＳＴＥＰ４の「ＹＥＳ」）、納金貨幣の計数とリサイクル式貨幣収納繰出部における納金貨幣の一時保留が行われる（図８のＳＴＥＰ５）。その後、確定キーが押下されると（図８のＳＴＥＰ７の「ＹＥＳ」）、リサイクル式貨幣収納繰出部における納金貨幣の収納処理が行われる（図８のＳＴＥＰ８）。
【００９３】
この際に、制御部１５は、操作者によって制御部１５に入力された入金量を、店舗金区分の貨幣量に加算する（図８のＳＴＥＰ９）。また、制御部１５は、納金処理において計数された貨幣量から入金量を減算した貨幣量を、売上金区分の貨幣量に加算する（図８のＳＴＥＰ１０）。なお、納金処理においてリサイクル式貨幣収納繰出部に収納された貨幣量の区分として、３つ以上の貨幣量の区分が設けられている場合には、納金処理においてリサイクル式貨幣収納繰出部に収納された貨幣量から入金量を減算した貨幣量を、店舗金以外の複数の区分の貨幣量に分けて加算してもよい。また、貨幣量を金種毎の数量または金額で管理している場合、納金処理が行われた貨幣では入金量を構成できない場合があるが、入金量より多くなるように納金処理が行われた貨幣を構成して店舗金に加算し、入金量との差を店舗金の貨幣で構成して店舗金から減算する。
【００９４】
なお、制御部１５は、入力された操作者のＩＤ情報に対応する、操作者への貸与済店舗金の金額を入金量とするようになっていてもよい。ここで、貸与済店舗金とは、各キャッシュレジスタ１８の釣銭用貨幣等を目的として店員等が貨幣処理機１０から出金処理を行った貨幣のことをいう。すなわち、貨幣処理機１０に収納される店舗金が、各キャッシュレジスタ１８に貸与されるような態様となる。
【００９５】
なお、この際に、制御部１５に入力される識別情報としては、操作者のＩＤ情報に限定されることはない。他の例としては、例えば、キャッシュレジスタ１８の識別番号、あるいは操作者以外の担当者のＩＤ情報等を、識別情報として制御部１５に入力してもよい。この場合、制御部１５は、入力された識別情報に対応する所定の金額を入金量とする。
【００９６】
また、操作者がスタートキーを押下し（図８のＳＴＥＰ４の「ＹＥＳ」）、納金貨幣の計数とリサイクル式貨幣収納繰出部における納金貨幣の一時保留が行われた（図８のＳＴＥＰ５）後に、操作者が確定キーではなく取消キーを押下すると（図８のＳＴＥＰ６の「ＹＥＳ」）、リサイクル式貨幣収納繰出部に一時保留された納金貨幣が筐体１１の外部に返却される（図８のＳＴＥＰ１１）。
【００９７】
なお、上述のような納金処理において、リサイクル式貨幣収納繰出部がフルとなった場合は、制御部１５は、リサイクル式貨幣収納繰出部に収納されている紙幣や硬貨のうち金種毎の数量または金額の店舗金に相当する貨幣を除く貨幣の一部または全部を貨幣収納部４０に送らせる。このことにより、リサイクル式貨幣収納繰出部には、店舗金に相当する貨幣が残ることとなる。
【００９８】
次に、引渡処理について説明する。表示部４４における表示が図５（ａ）に示すような待機状態の画面となっているときに、操作部４５により引渡キーを選択した場合には、以下に示す引渡処理が行われる（図８のＳＴＥＰ１２の「ＹＥＳ」）。
【００９９】
まず、売上金区分の貨幣量を引渡貨幣量に決定する（図８のＳＴＥＰ１３）。あるいは、リサイクル式貨幣収納繰出部に収納されている紙幣や硬貨の貨幣量から、店舗金を減算して求めた貨幣量を引渡貨幣量としてもよい。
【０１００】
次に、操作者がスタートキーを押下すると（図８のＳＴＥＰ１４の「ＹＥＳ」）、制御部１５は、リサイクル式貨幣収納繰出部に収納されている貨幣のうち引渡貨幣量の貨幣を貨幣収納部４０に送らせる（図８のＳＴＥＰ１５）。このことにより、リサイクル式貨幣収納繰出部には、引渡処理時点で貨幣処理機に収納されている店舗金に相当する貨幣が残ることとなる。そして、制御部１５は、売上金区分の貨幣量から引渡貨幣量を減算する（図８のＳＴＥＰ１６）。なお、引渡処理中に貨幣収納部４０内の紙幣収納カセット４１と硬貨収納カセット４２の少なくとも一方が満杯となったときは、少なくとも満杯になった方のカセットへの引渡処理は中止する（満杯という状態は、カセット内の紙幣や硬貨の収納量を検知するセンサやカセットへの収納枚数等により検知される）。
【０１０１】
また、表示部４４における表示が図５（ａ）に示すような待機状態の画面となっているときに、操作部４５により店舗金キーを選択した場合には、以下に示す店舗金処理が行われる（図９のＳＴＥＰ２１の「ＹＥＳ」）。店舗金キーが選択されると、表示部４４における表示が図５（ｂ）に示すような画面に切り替わる。なお、店舗金処理が選択されない場合には（図９のＳＴＥＰ２１の「ＮＯ」）、他の店舗側処理が行われる。
【０１０２】
図５（ｂ）に示すような表示部４４の画面において、操作者が入金キーを選択した場合には（図９のＳＴＥＰ２２の「入金を選択」）、以下に示す入金処理が行われる。具体的には、操作者が入金キーを選択した後、スタートキーを押下した場合には（図９のＳＴＥＰ２３の「ＹＥＳ」）、投入口に投入された入金貨幣の計数とリサイクル式貨幣収納繰出部における入金貨幣の一時保留が行われる（図９のＳＴＥＰ２４）。その後、確定キーが押下されると（図９のＳＴＥＰ２６の「ＹＥＳ」）、リサイクル式貨幣収納繰出部における入金貨幣の収納処理が行われる（図９のＳＴＥＰ２７）。この際に、制御部１５は、計数された入金貨幣の貨幣量を、店舗金区分の貨幣量に加算する（図９のＳＴＥＰ２８）。なお、一時保留中にリサイクル式貨幣収納繰出部のリサイクル式紙幣収納部２７とリサイクル式硬貨収納部３４の少なくとも一方が満杯となったときは、少なくとも満杯となった方のリサイクル式紙幣収納部２７とリサイクル式硬貨収納部３４への一時保留は中止され、投入された貨幣は返却される。
【０１０３】
また、操作者がスタートキーを押下し（図９のＳＴＥＰ２３の「ＹＥＳ」）、入金貨幣の計数とリサイクル式貨幣収納繰出部における入金貨幣の一時保留が行われた（図９のＳＴＥＰ２４）後に、操作者が確定キーではなく取消キーを押下すると（図９のＳＴＥＰ２５の「ＹＥＳ」）、リサイクル式貨幣収納繰出部に一時保留された入金貨幣が筐体１１の外部に返却される（図９のＳＴＥＰ２９）。
【０１０４】
一方、図５（ｂ）に示すような表示部４４の画面において、操作者が出金キーを押下した場合には（図９のＳＴＥＰ２２の「出金を選択」）、以下に示す出金処理が行われる。具体的には、出金処理が行われる際に、操作者によって出金額（出金量）が操作部４５により制御部１５に入力される（図９のＳＴＥＰ３０）。そして、操作者がスタートキーを押下すると（図９のＳＴＥＰ３１の「ＹＥＳ」）、制御部１５は、リサイクル式貨幣収納繰出部に収納されている紙幣や硬貨から、出金量に相当する紙幣や硬貨を筐体１１の外部に投出させる（図９のＳＴＥＰ３２）。また、制御部１５は、店舗金区分の貨幣量から、出金した貨幣量を減算する（図９のＳＴＥＰ３３）。この際に、制御部１５は、店舗金区分の貨幣量が、出金した貨幣量よりも小さい場合には、不足する貨幣量を負の値として店舗金の管理を行う。また、制御部１５は、カードリーダ４６に読み取られた操作者のＩＤ情報と出金量とを関連付けて記憶部４７に記憶させる（図９のＳＴＥＰ３４）。
【０１０５】
上述のような出金処理が行われる際に、カードリーダ４６により読み取られたＩＤ情報が制御部１５に入力され、制御部１５は、入力された操作者のＩＤ情報に対応する所定の金額を出金量とするようになっていてもよい。
【０１０６】
以上のように、本実施の形態の貨幣処理機１０によれば、制御部１５は、リサイクル式貨幣収納繰出部（リサイクル式紙幣収納部２７やリサイクル式硬貨収納部３４）に収納されている紙幣や硬貨の貨幣量を、複数の区分の貨幣量を用いて管理するようになっている。このように、リサイクル式貨幣収納繰出部に収納されている紙幣や硬貨の貨幣量について、複数の区分の貨幣量を用いて管理することにより、貨幣処理機１０は１台で複数の区分の貨幣を管理することができ、この貨幣処理機１０をより利便性の高いものとすることができる。
【０１０７】
より具体的には、制御部１５は、リサイクル式貨幣収納繰出部の貨幣量を、第１の区分の貨幣量（例えば、店舗側に管理権限がある店舗金）および第２の区分の貨幣量（例えば、店舗以外の者（具体的には、収集特定者側）に管理権限が移されるべき売上金）の少なくとも２つの貨幣量を用いて管理し、リサイクル式貨幣収納繰出部の貨幣量が変化する際に、第１の区分の貨幣量について変化量を制御部１５へ入力でき、この変化量を、第１の区分の貨幣量に対して加算または減算するようになっている。なお、リサイクル式貨幣収納繰出部に収納されている紙幣や硬貨について、店舗側に管理権限がある店舗金と、店舗以外の者に管理権限が移されるべき売上金とに分けて管理するようにした場合には、貨幣処理機１０は１台で店舗金と売上金の２つの費目を管理することができ、店舗金の在高を正確に管理することができるようになる。また、制御部１５は、貨幣量について、紙幣や硬貨の合計金額、あるいは紙幣や硬貨の金種毎の数量または金額を管理するようになっている。そして、複数の区分の貨幣量を合計すると、リサイクル式貨幣収納繰出部に収納されている紙幣や硬貨の総量となる。
【０１０８】
なお、本発明による貨幣処理機は、上記の態様に限定されることはなく、様々な変更を加えることができる。
【０１０９】
例えば、リサイクル式貨幣収納繰出部に収納されている紙幣や硬貨の貨幣量を、複数の区分の貨幣量を用いて管理するにあたり、図６（ａ）に示すように、店舗金と売上金とに分けて管理する代わりに、図６（ｂ）に示すように、店舗金と収納部合計金額とに分けて管理してもよい。ここで、収納合計金額とは、リサイクル式貨幣収納繰出部に収納されている紙幣や硬貨の総量のことをいう。
【０１１０】
リサイクル式貨幣収納繰出部に収納されている紙幣や硬貨の貨幣量を、店舗金と収納部合計金額とに分けて管理した場合、引渡非連動形態における納金処理が行われる際に、この納金処理の前に操作者によって店舗金の入金額が操作部４５により制御部１５に入力され、制御部１５は、この入金額を店舗金に加算する。そして、制御部１５は、納金処理においてリサイクル式貨幣収納繰出部に収納された貨幣量を、収納部合計金額に加算する。
【０１１１】
また、例えば、表示部４４において、図５（ａ）等に示すように、準備されているキーを全てＬＣＤ等により表示しているが、このような例に限定されることはない。
【０１１２】
すなわち、図５（ａ）等に示すように、準備されているキーを全てＬＣＤ等により表示する場合は、貨幣処理機１０の内部の貨幣の在高状況や操作者の権限等によって実際には実行することができないキーがあるときに、操作者にとってこのことがわかりづらいという問題がある。このため、貨幣処理機１０の内部の貨幣の在高状況により実行することのできないキーについては消灯したり、操作者の権限を確認するまでは全てのキーを消灯して権限が確認された後にこの操作者にとって操作可能なキーを表示したりする方法を用いるということが考えられる。
【０１１３】
上記事項について図７を用いてより詳細に説明する。貨幣処理機１０のリサイクル式貨幣収納繰出部に十分な量の紙幣や硬貨がある場合には、図７（ａ）に示すように表示部４４において全てのキーが表示される。一方、リサイクル式貨幣収納繰出部における紙幣や硬貨が不足し、両替処理を行うことができない可能性がある場合は、図７（ｂ）に示すように表示部４４において両替キーが消灯する。
【０１１４】
また、表示部４４における表示において、図７（ｃ）に示すように操作者の権限を確認するまでは全てのキーが消灯していてもよい。この場合、例えば操作者が携帯するＩＤカードのＩＤ情報の読み取りがカードリーダ４６により行われることによって、操作者の権限が確認されたら、図７（ｄ）に示すようにこの操作者にとって操作可能なキーが表示される。なお、図７（ｄ）に示されるキーは、操作者が店舗側の店員である場合における表示部４４における表示内容である。
【０１１５】
また、納金処理、両替処理、逆両替処理、出金処理、引渡処理、締め処理、警備回収処理において、現金センター１３やデータセンター１４側からの応答電文上にある時刻を使用して、時刻の遅れ事象が発生した場合だけでなく時刻の進み事象が発生した場合にも時刻を補正するようにしてもよい。すなわち、従来の貨幣処理機では、警備回収処理における時刻の遅れ事象のみを補正しており、時刻の進み事象については貨幣処理機の保守メンテナンス時にマニュアルで修正している。これに対して、現金センター１３やデータセンター１４側からの応答電文上にある時刻を使用して、時刻の遅れ事象が発生した場合だけでなく時刻の進み事象が発生した場合にも時刻を補正した場合には、短いステップで１日に何回も補正を行うことができ、時刻が進んだ場合でも、時刻の補正を的確に行うことができるようになる。
【符号の説明】
【０１１６】
１０  貨幣処理機
１１  筐体
１２  コントローラ
１３  現金センター
１４  データセンター
１５  制御部
１７  コントローラ
１７ａ  プリンタ
１７ｂ  カードリーダ
１７ｃ  スキャナー
１７ｄ  パーソナルコンピュータ
１８  キャッシュレジスタ
２０  紙幣処理装置
２１  紙幣投入口
２２  紙幣リジェクト口
２３  紙幣返却口
２４  扉
２５  搬送部
２６  識別部
２７、２７ａ〜２７ｃ  リサイクル式紙幣収納部
２７ｐ  ドラム
２８  紙幣ステージ
２９  紙幣保留部
３０  硬貨処理装置
３１  硬貨投入口
３２  硬貨返却口
３３  硬貨繰出部
３４、３４ａ〜３４ｆ  リサイクル式硬貨収納部
３５  搬送部
３５ａ  識別部
３６  選別孔
３７ａ  硬貨保留部
３７ｂ  シュート
３８  横方向搬送部
３８ａ  循環ベルト
３９  金種別硬貨一時保留部
４０  貨幣収納部
４１  紙幣収納カセット
４２  硬貨収納カセット
４３  プリンタ
４４  表示部
４５  操作部
４６  カードリーダ
４７  記憶部
【図１Ａ】
2010262568.tif 000003
【図１Ｂ】
2010262568.tif 000004
【図２】
2010262568.tif 000005
【図３Ａ】
2010262568.tif 000006
【図３Ｂ】
2010262568.tif 000007
【図４】
2010262568.tif 000008
【図５】
2010262568.tif 000009
【図６】
2010262568.tif 000010
【図７】
2010262568.tif 000011
【図８】
2010262568.tif 000012
【図９】
2010262568.tif 000013